【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
複数のプリントヘッドモジュールを取り付け、そして収容するための取り付けアセンブリであって：
複数の開口部を含む下部プレートであって、ここで、各開口部が、該取り付けアセンブリ内に収容されたプリントヘッドモジュールの表面を曝すような形態であり、そして各開口部が、該プリントヘッドモジュールを第１の方向に整列するための少なくとも１つの整列基準、および該プリントヘッドモジュールを第２の方向に整列するための少なくとも１つの整列基準を含み、該プリントヘッドモジュールの表面が、複数のインクノズル開口部を含む、下部プレート；
該下部プレートにほぼ平行である上部プレートであって、該取り付けアセンブリ内に収容されたプリントヘッドモジュール中に形成されたインクチャネルへの接近を提供するような形態の複数の開口部を含む、上部プレート；および
該下部プレートと上部プレートとの間に位置決めされ、かつ固定される複数の取り付けブロックであって、各取り付けブロックが、プリントヘッドモジュールに連結して該プリントヘッドモジュールを該下部プレートと上部プレートとの間に取り付けるような形態であり、そして各取り付けブロックが、該プリントヘッドモジュールを第３の方向に整列するための基準を含む、取り付けブロック、を備え、
該複数の取り付けブロックが、該下部プレートおよび上部プレートを、互いから実質的に均一な距離に維持するような形態である、
取り付けアセンブリ。
【請求項２】
前記下部プレートおよび上部プレートが、低熱膨張係数を有する材料から形成される、請求項１に記載の取り付けアセンブリ。
【請求項３】
前記下部プレートおよび上部プレートがインバーから形成される、請求項２に記載の取り付けアセンブリ。
【請求項４】
請求項１に記載の取り付けアセンブリであって、該取り付けアセンブリ内に収容され、そして前記複数の取り付けブロックに固定される複数のプリントヘッドモジュールをさらに備え、各プリントヘッドモジールが印刷媒体上にインク液滴を放出するような形態の複数のインクノズル開口部を含み、該複数のインクノズル開口部がインク液滴の間に実質的に均一な間隔を提供するように配列され；そして
ここで、該複数のプリントヘッドモジュールが、該インク液滴間の実質的に均一な間隔が隣接するプリントヘッドモジュールの最も外側のインクノズル開口部から放出されるインク液滴間で維持されるように、第１、第２および第３の方向で整列される、取り付けアセンブリ。
【請求項５】
整列基準が、前記開口部の内側表面の突出領域を備え、該突出領域が該内側表面の残りに対して該開口部に向かって内方に延びる、請求項１に記載の取り付けアセンブリ。
【請求項６】
各開口部の第１の方向に２つの整列基準があり、そして開口部の該２つの整列基準が同じ平面内にある、請求項５に記載の取り付けアセンブリ。
【請求項７】
前記第２の方向に隣接する前記開口部の第１の方向にある整列基準が、該第１の方向にある整列基準が同じ平面内にあるように形成される、請求項６に記載の取り付けアセンブリ。
【請求項８】
各開口部の第２の方向にある前記少なくとも１つの整列基準が、隣接する開口部の該第２の方向にある整列基準が同じ平面にあるように形成される、請求項５に記載の取り付けアセンブリ。
【請求項９】
各開口部の第２の方向にある前記少なくとも１つの整列基準が、隣接する開口部の該第２の方向にある整列基準が、互いに実質的に平行であり、そして互いから所定の距離離れた異なる平面中にあるように形成される、請求項５に記載の取り付けアセンブリ。
【請求項１０】
前記取り付けブロック上に形成される第３の方向にある前記整列基準が、該整列基準が同じ平面にあるように形成される、請求項５に記載の取り付けアセンブリ。
【請求項１１】
取り付けアセンブリ中にプリントヘッドモジュールを取付ける方法であって：
取り付けアセンブリの下部プレート中に形成される複数の開口部中に複数のプリントヘッドモジュールを位置決めする工程であって、該取り付けアセンブリが複数の取り付けブロックによって分離される実質的に平行な上部プレートおよび下部プレートを含み、該取り付けブロックが、該プリントヘッドモジュールを該下部プレートと上部プレートとの間に取り付け、そして該上部プレートおよび下部プレートを実質的に均一な距離だけ離して維持するような形態である、工程；
各プリントヘッドモジュールを、該開口部の第１の内側表面中に形成される少なくとも１つの整列基準と整列する工程であって、該プリントヘッドモジュールを第１の方向に整列する工程；
各プリントヘッドモジュールを、該開口部の第２の内側表面中に形成される少なくとも１つの整列基準と整列する工程であって、該プリントヘッドモジュールを第２の方向に整列する工程；
各プリントヘッドモジュールを、少なくとも２つの取り付けブロックの受容表面上に取り付ける工程であって、各取り付けブロックの該受容表面が、第３の方向の整列基準を提供する工程、を包含する、方法。
【請求項１２】
前記複数のプリントヘッドモジュールの各々が、該プリントヘッドモジュールの下部表面中に複数のインクノズル開口部を含み、そして該下部表面が、該取り付けアセンブリの下部プレート中に形成される開口部によって曝され、ここで、該複数のインクノズル開口部が、印刷媒体上にインク液滴を放出するような形態であり、そしてインク液滴間で実質的に均一な間隔を提供するように整列され：
前記方法が、該複数のプリントヘッドモジュールを、第１、第２および第３の方向に、該インク液滴間の実質的に均一な間隔が、隣接するプリントヘッドモジュールの最も外側のインクノズル開口部から放出されるインク液滴間で維持されるように、互いに対して整列する工程、をさらに包含する、請求項１１に記載の方法。
【請求項１３】
前記開口部の第１の内側表面中に少なくとも１つの突出領域を形成する工程であって、該突出領域が、前記第１の方向の少なくとも１つの整列基準を備える工程；および
前記開口部の第２の内側表面中に少なくとも１つの突出領域を形成する工程であって、該突出領域が、前記第２の方向の少なくとも１つの整列基準を備える工程、をさらに包含する、請求項１１に記載の方法。
【請求項１４】
前記第１の方向に２つの整列基準があり：
前記方法が、各開口部の第１の方向に２つの整列基準を、開口部の該２つの整列基準が同じ平面中にあるように形成する工程、をさらに包含する、請求項１３に記載の方法。
【請求項１５】
前記第２の方向で隣接している前記第１の方向の開口部中の整列基準を、該第１の方向にある整列基準が同じ平面にあるように形成する工程、をさらに包含する、請求項１４に記載の方法。
【請求項１６】
各開口部の前記第２の方向にある少なくとも１つの整列基準を、前記隣接する開口部の少なくとも１つの整列基準が、同じ平面内にあるように形成する工程をさらに包含する、請求項１３に記載の方法。
【請求項１７】
各開口部の前記第２の方向にある少なくとも１つの整列基準を、隣接する開口部の前記少なくとも１つの整列基準が、互いに実質的に平行であり、そして互いから所定の距離間隔を置かれた異なる平面中にあるように形成する工程、をさらに包含する、請求項１３に記載の方法。
【請求項１８】
実質的に同じ平面にある第３の方向に前記整列基準のすべてを形成する工程、をさらに包含する、請求項１３に記載の方法。
【請求項１９】
プリントヘッドモジュールを収容するためのシステムであって：
取り付けアセンブリであって：
複数の開口部を含む下部プレートであって、各開口部が、該取り付けアセンブリ内に収容されるプリントヘッドモジュールの表面を曝すような形態であり、そして各開口部が、第１の方向に該プリントヘッドモジュールを整列する少なくとも２つの整列基準および第２の方向に該プリントヘッドモジュールを整列する少なくとも１つの整列基準を含み、該プリントヘッドモジュールの表面が複数のインクノズル開口部を含む、下部プレート；
該下部プレートにほぼ平行である上部プレートであって、該取り付けアセンブリ内に収容されるプリントヘッドモジュール中に形成されたインクチャネルへの接近を提供するような形態の複数の開口部を含む上部プレート；および
該下部プレートと上部プレートとの間に位置決めされ、そしてそれらに固定される複数の取り付けブロックであって、各取り付けブロックが、プリントヘッドモジュールに連結されるような形態であり、そして該プリントヘッドモジュールを第３の方向に整列するための基準を含む、複数の取り付けブロック；を備える取り付けアセンブリ；
該取り付けアセンブリの上部プレートに取り付けられる再循環アセンブリであって：
インク供給源からインクを受容するような形態の主要インク入口；
インク供給源にインクを向けるような形態の主要インク出口；
該主要インク入口と主要インク出口との間に延び、入口部分および出口部分を含むチャネルであって、ここで：
該入口部分が、該主要インク入口から、複数のプリントヘッドモジュールの各々のための複数のインク入口と流体連通する複数のインクチャネルまでインクを移動するような形態であり；そして
該出口部分が、インクを、該複数のプリントヘッドモジュールの各々のために複数のインク出口と流体連通する複数のインクチャネルから離れ、そして主要インク出口に向かって移動するような形態である、チャネル；を備える再循環アセンブリ、および
該取り付けアセンブリ内に収容される複数のプリントヘッドモジュールであって、各プリントヘッドモジュールが：
印刷媒体上にインク液滴を放出するような形態の複数のインクノズル開口部；
該再循環アセンブリ中に形成されるインクチャネルと流体連通する少なくとも１つのインク入口；および
該再循環アセンブリ中に形成されるインクチャネルと流体連通する少なくとも１つのインク出口を含む、複数のプリントヘッドモジュール、を備える、システム。
【請求項２０】
請求項１９に記載のシステムであって：
プリントヘッドモジュールの各インク入口チャネルと、上記再循環アセンブリの対応するインクチャネルとの間に位置決めされ、そしてプリントヘッドモジュールの各インク出口チャネルと、該再循環アセンブリの対応するインクチャネルとの間に位置決めされる圧縮可能なシールをさらに備え、その結果、前記取り付けアセンブリの上部プレートおよび下部プレートが、互いに対して移動し得、そして、該プリントヘッドモジュールの該インク入口および出口チャネルと、該再循環アセンブリの対応するインクチャネルとの間でシールを維持し得る、システム。